(57)【要約】【課題】色温度が上がり、輝度維持率が上昇しうるプラズマディスプレイパネルを提供する。【解決手段】上側基板と下側基板との間に形成され、それぞれ赤色、緑色、青色の蛍光体層が形成されている赤色、緑色、青色のサブピクセル１１４Ｒ、１１４Ｇ、１１４Ｂを限定する隔壁と、サブピクセルにそれぞれ対応するように配置された上側放電電極１３１および下側放電電極１３２と、赤色、緑色、青色のサブピクセルのうち最大発光輝度の最も低い色のサブピクセルと同じ色のサブピクセル１１４Ｂ’をさらに一つ備えて、最大発光輝度の最も低い色の２個のサブピクセル１１４Ｂ、１１４Ｂ’に輝度及び寿命の特性が相異なる蛍光体層を備え、合計４個のサブピクセルにより単位ピクセルを構成したプラズマディスプレイパネル。【選択図】図５
2006140158.tif 000002
【特許請求の範囲】
【請求項１】
上側基板と、
前記上側基板と対向するように配置された下側基板と、
前記上側基板と前記下側基板との間に形成されており、赤色、緑色、青色をそれぞれ発散する赤色、緑色、青色蛍光体層のうち、何れか一つが選択されてそれぞれ配置された赤色、緑色、青色のサブピクセルに限定する隔壁と、
前記サブピクセルにそれぞれ対応するように前記隔壁内に配置された上側放電電極と、
前記サブピクセルに上側放電電極と共にそれぞれ対応するように前記隔壁内に配置された下側放電電極と、
前記赤色、緑色、青色のサブピクセルのうち最大発光輝度の最も低い色と同じ色を発するように追加されたサブピクセルと、を有し、
前記赤色、緑色、青色のサブピクセルと前記追加されたサブピクセルの少なくとも４個のサブピクセルによって単位ピクセルが構成され、
前記単位ピクセルにおける前記最大発光輝度の最も低い色の２個のサブピクセルにそれぞれ配置された蛍光体層は、輝度及び寿命の特性が相異なることを特徴とするプラズマディスプレイパネル。
【請求項２】
前記隔壁は、誘電体より形成され、前記上側放電電極と前記下側放電電極は、前記隔壁内に上下に互いに離れて交差する方向にそれぞれ延びて配置されていることを特徴とする請求項１に記載のプラズマディスプレイパネル。
【請求項３】
前記単位ピクセルにおいて、最大発光輝度の最も低い色の２個のサブピクセルのうち、何れか一つに配置された蛍光体層は、残りの一つに配置された蛍光体層より高い輝度特性を有し、相対的に低い輝度特性を有するサブピクセルは、高い輝度特性を有するサブピクセルより長い寿命の特性を有することを特徴とする請求項２に記載のプラズマディスプレイパネル。
【請求項４】
前記赤色、緑色、青色のサブピクセルのうち、最大発光輝度の最も低い色のサブピクセルは、青色のサブピクセルであることを特徴とする請求項３に記載のプラズマディスプレイパネル。
【請求項５】
前記２個の青色のサブピクセルのうち、高い輝度特性を有する蛍光体層は、ＢＡＭ（ＢａＭｇＡｌ１０Ｏ１７：Ｅｕ２＋）蛍光体より形成されていることを特徴とする請求項４に記載のプラズマディスプレイパネル。
【請求項６】
前記２個の青色のサブピクセルのうち、長い寿命の特性を有する蛍光体層は、ＣＭＳ（ＣａＭｇＳｉ２Ｏ６：Ｅｕ２＋）蛍光体より形成されていることを特徴とする請求項４に記載のプラズマディスプレイパネル。
【請求項７】
前記単位ピクセルを構成する４個のサブピクセルは、２列で２個ずつ配列されていることを特徴とする請求項１に記載のプラズマディスプレイパネル。
【請求項８】
前記隔壁は、前記上側放電電極及び下側放電電極が配置された第１隔壁と、前記第１隔壁の下側に配置されて前記蛍光体層が配置された第２隔壁と、を備えていることを特徴とする請求項１に記載のプラズマディスプレイパネル。
【請求項９】
前記隔壁の側面には、ＭｇＯ膜により覆われていることを特徴とする請求項１に記載のプラズマディスプレイパネル。
【請求項１０】
前記上側放電電極と下側放電電極は、導電性金属よりそれぞれ形成されたことを特徴とする請求項１に記載のプラズマディスプレイパネル。
【請求項１１】
前記隔壁は、マトリックス状に形成されて前記サブピクセルを限定し、前記上側放電電極は、四角帯状にそれぞれ形成されて前記サブピクセルを取り囲む上側放電部をそれぞれ備え、前記下側放電電極は、四角帯状にそれぞれ形成されて前記サブピクセルを取り囲む下側放電部をそれぞれ備えることを特徴とする請求項２に記載のプラズマディスプレイパネル。
【請求項１２】
上側基板と、
前記上側基板と対向するように配置された下側基板と、
前記上側基板と下側基板との間に形成されており、赤色、緑色、青色をそれぞれ発散する赤色、緑色、青色蛍光体層のうち何れか一つが選択されてそれぞれ配置された赤色、緑色、青色のサブピクセルに限定する隔壁と、
前記サブピクセルにそれぞれ対応するように配置された上側放電電極と、
前記サブピクセルに上側放電電極と共にそれぞれ対応するように配置された下側放電電極と、
前記赤色、緑色、青色のサブピクセルと、前記赤色、緑色、青色のサブピクセルのうち、何れか一つの色のサブピクセルをさらに一つ備えて構成された単位ピクセルと、を備えるプラズマディスプレイパネル。
【発明の詳細な説明】
【技術分野】
【０００１】
本発明は、プラズマディスプレイパネル（Ｐｌａｓｍａ  Ｄｉｓｐｌａｙ  Ｐａｎｎｅｌ：以下、ＰＤＰ）に係り、より詳細には、色温度特性と輝度維持率とが向上するようにその構造が改善されたＰＤＰに関する。
【背景技術】
【０００２】
通常的に、ＰＤＰは、密閉された空間に設置された電極の間にガスが充填された状態で、電極に所定の電圧を印加してグロー放電を発生させ、放電時に発生する紫外線により蛍光体層を励起させて発光を得ている。そして電圧を印加する電極を所定パターンとなるように選択することで画像を形成している。
【０００３】
前記ＰＤＰは、駆動方法によって直流型、交流型または混合型に分類される。そして、電極構造に応じて放電に必要な少なくとも２個の電極を有するものと、３個の電極を有するものとに区分される。
【０００４】
直流型の場合には、補助放電を誘導するために補助電極が追加され、交流型の場合には、アドレス放電と維持放電とを分離してアドレス速度を向上させるためにアドレス電極が導入される。また、交流型は、放電をなす電極の配置によって対向放電型電極構造と面放電型電極構造とに分類されうるが、前記対向放電型電極構造の場合には、放電を形成する２個の維持電極が基板にそれぞれ位置して、放電がパネルの垂直軸に形成される構造であり、面放電型電極構造は、放電を形成する２個の維持電極が同じ基板上に位置して、放電が基板の一平面上に形成される構造である。
【０００５】
図１には、通常的な面放電型３電極構造のＰＤＰに備えられたサブピクセルの一例が図示されている。
【０００６】
図面を参照すれば、サブピクセル１０において、上側基板１１の下面には相互間に放電ギャップで離れた共通電極１３とスキャン電極１４とからなる維持電極対１２が形成されている。前記共通電極１３及びスキャン電極１４は、それぞれ透明電極１３ａ、１４ａと、それらの下面に形成されて電圧を印加するバス電極１３ｂ、１４ｂとを備えている。前記維持電極対１２は、上側誘電体層１５により埋め込まれており、前記上側誘電体層１５の下面には保護層１６が形成されている。
【０００７】
そして、前記上側基板１１と対向するように下側基板２１が配置されており、前記下側基板２１上にはアドレス電極２２が形成されている。前記アドレス電極２２は、下側誘電体層２３により埋め込まれている。そして、前記下側誘電体層２３上には隔壁２４が形成されており、前記隔壁２４により限定された空間には蛍光体層２５が形成されている。一方、このように構成されたサブピクセル１０内には放電ガスが注入されている。
【０００８】
前記のような構造を有するサブピクセル１０が備えられたＰＤＰの作動を簡略に説明すれば、次の通りである。
【０００９】
まず、アドレス電極２２とスキャン電極１４との間にアドレス電圧が印加されれば、アドレス放電が発生し、これにより、アドレッシングされたサブピクセル１０に所定の壁電荷が形成される。そして、このような状態で、共通電極１３とスキャン電極１４との間に維持電圧が印加されれば、維持放電が発生する。このような放電により発生した電荷は放電ガスと衝突し、これにより、プラズマが形成されて紫外線が発生する。このような紫外線の発生により蛍光体層２５が励起されることにより、可視光線が発散されて画像が具現される。
【００１０】
前記したようなサブピクセル１０には、カラー具現のために赤色、緑色、青色蛍光体層のうち、何れか一つが選択されて配置されることにより、図２に示すように、赤色サブピクセル１０Ｒ、緑色サブピクセル１０Ｇ及び、青色のサブピクセル１０Ｂにそれぞれ細分される。このような赤色、緑色、青色のサブピクセル１０Ｒ、１０Ｇ、１０Ｂは、３個が一組をなして単位ピクセル３０を構成することにより、３原色の組み合わせによる多様な色を表現する。
【００１１】
より詳細には、赤色、緑色、青色のサブピクセル１０Ｒ、１０Ｇ、１０Ｂからそれぞれ発散されうる赤色、緑色、青色光の発光輝度を複数の段階、例えば、２５６段階の階調にそれぞれ分類し、このように細分された赤色、緑色、青色光を多様な組み合わせで加算混合すれば、単位ピクセル３０から１，６７７万色が表現されうる。
【００１２】
ところが、通常、同じ条件であれば緑色光の最大発光輝度が最も高く、青色光の最大発光輝度の最も低いことが知られている。このように青色光が相対的に最も低い最大発光輝度を有するため、赤色、緑色、青色光の輝度が最大である時、これらが混合されて表現される白色の色温度が低く、最大に発光されうる輝度も低いという問題がある。また、青色光の発光輝度が低いため、これを複数の段階の階調に細分するのが難く、階調表現力が低下するという問題もある。
【００１３】
なお、従来においてもこのような問題を解決するために、赤色、緑色、青色のサブピクセルに青色のサブピクセルをさらに備えて４個のサブピクセルで単位ピクセルを構成した例がある。
【００１４】
しかし、面放電３電極構造においては、追加のサブピクセルを入れるために単位ピクセルのサイズを大きくすることは限られたパネル面積における全画素数の低下につながるため採用できない。したがって、単位ピクセルのサイズを従来と同じ状態にしなければならない。このため同じ単位ピクセルサイズでサブピクセルがさらに一つ増えることになり、単位ピクセルを構成する赤色、緑色、青色のそれぞれのサブピクセルの間のピッチがそれまでよりも小さくなる。サブピクセルの間のピッチが小さくなればキャパシタンスが大きくなるため、消費電力が大きく増加するという問題点があり、これもまた採用しがたいのが現状である。
【発明の開示】
【発明が解決しようとする課題】
【００１５】
本発明の目的は、赤色、緑色、青色のサブピクセルに前記赤色、緑色、青色のサブピクセルのうち、最大発光輝度の最も低いサブピクセルを補助するサブピクセルをさらに一つ備えて、４個のサブピクセルとして単位ピクセルを構成するが、最大発光輝度の最も低いサブピクセルにそれぞれ配置された蛍光体層の輝度及び寿命の特性を異ならせて設定することにより、色温度が上がり、輝度維持率が上昇しうるＰＤＰを提供するところにある。
【課題を解決するための手段】
【００１６】
前記の目的を達成するための本発明に係るＰＤＰは、上側基板と、前記上側基板と対向するように配置された下側基板と、前記上側基板と下側基板との間に形成されるものであって、赤色、緑色、青色をそれぞれ発散する赤色、緑色、青色の蛍光体層のうち、何れか一つが選択されてそれぞれ配置された赤色、緑色、青色のサブピクセルに限定する隔壁と、前記サブピクセルにそれぞれ対応するように配置された上側放電電極と、前記サブピクセルに上側放電電極と共にそれぞれ対応するように配置された下側放電電極と、前記赤色、緑色、青色のサブピクセルと、前記赤色、緑色、青色のサブピクセルのうち、最大発光輝度の最も低い色のサブピクセルをさらに一つ備えてそれぞれ構成され、最大発光輝度の最も低い２個のサブピクセルにそれぞれ配置された蛍光体層において、輝度及び寿命の特性が異なる単位ピクセルと、を備える。
【００１７】
ここで、前記隔壁は、誘電体より形成され、前記上側放電電極と下側放電電極は、前記隔壁内に上下に互いに離れて交差する方向にそれぞれ延設されるが、前記サブピクセルをそれぞれ取り囲むように配置されることが好ましい。
【００１８】
ここで、前記単位ピクセルにおいて、最大発光輝度の最も低い２個のサブピクセルのうち、何れか一つに配置された蛍光体層は、残りの一つに配置された蛍光体層より高い輝度特性を有し、相対的に低い輝度特性を有するサブピクセルは、高い輝度特性を有するサブピクセルより長い寿命の特性を有することが好ましい。
【発明の効果】
【００１９】
本発明によれば、赤色、緑色、青色のサブピクセルに最大発光輝度の最も低い色のサブピクセルをさらに備えて、４個のサブピクセルより単位ピクセルを構成し、単位ピクセルに含まれた最大発光輝度の最も低い２個のサブピクセルにそれぞれ配置された蛍光体層の輝度及び寿命の特性を異ならせて設定することによって、色温度及び輝度が上昇すると共に、寿命が延長されて輝度維持率が向上しうる。また、最も低い最大発光輝度を有する色の最大発光輝度が全体的に上昇しうるため、階調表現力が向上しうる。
【発明を実施するための最良の形態】
【００２０】
前記本発明の目的と利点は、添付された図面の資料と共に好ましい実施形態が詳細に説明されることによりさらに明らかになる。
【００２１】
図３は、本発明の一実施例に係るＰＤＰについての分離斜視図であり、図４は、図３のＩＶ−ＩＶ線に沿って切り取った断面図である。
【００２２】
図３及び図４を参照すれば、本発明の一実施例に係るＰＤＰ１００には、上側基板１１１と、前記上側基板１１１と対向するように配置された下側基板１２１とが備えられている。
【００２３】
前記上側基板１１１及び下側基板１２１は、ガラスのような光透過性材料より形成されており、前記上側基板１１１から画像が表示される場合には、前記上側基板１１１は、特に優れた光透過性を有することが好ましい。
【００２４】
そして、前記上側基板１１１と下側基板１２１との間には隔壁が配置されている。
【００２５】
前記隔壁は、図示されたように、第１隔壁１１２と第２隔壁１２２とを備え、前記第１隔壁１１２と第２隔壁１２２は、所定パターンで、すなわち、横断面がマトリックス状の閉鎖型隔壁よりそれぞれ形成されている。そして、前記第１隔壁１１２の下面は、前記第２隔壁１２２の上面に対応して前記第１隔壁１１２により限定された空間と、前記第２隔壁１２２により限定された空間とがそれぞれ対応する。しかし、これに限定されず、前記第１隔壁及び第２隔壁はワッフル状などの閉鎖型隔壁でそれぞれ形成されるか、または水平に切り取ったそれぞれの空間形状が三角形、五角形のような多角形、円形、楕円形などからなる閉鎖型隔壁よりそれぞれ形成されうる。そして、前記第１隔壁は、閉鎖型隔壁より形成される一方、第２隔壁は、ストライプ状の開放型隔壁より形成されるように、多様な組み合わせからなることも可能である。
【００２６】
前記第１隔壁１１２と第２隔壁１２２は、上側基板１１１及び下側基板１２１のようにサブピクセル１１４に区画し、区画されたサブピクセル１１４の間にクロストーク等による誤放電が発生することを防止する。前記第１隔壁１１２と第２隔壁１２２とは、別個に形成されるか、または一体に形成されうるが、別個に形成される場合には、少なくとも第１隔壁１１２のみは誘電体より形成され、一体に形成される場合には、第１隔壁１１２と第２隔壁１２２とが何れも誘電体より形成される。
【００２７】
そして、前記サブピクセル１１４には、維持放電時に発生した紫外線により励起されて、可視光線が発散する蛍光体層１２３が配置されている。図示するように、前記蛍光体層１２３は、第２隔壁１２２により限定される空間、すなわち、下側基板１２１の上面と下側隔壁１２２との側面にかけて形成されている。
【００２８】
前記蛍光体層１２３は、第２隔壁１２２により限定される空間に形成されているため、放電が発生する第１隔壁１１２側の主領域と著しく離れている。したがって、荷電粒子によって蛍光体層１２３がイオンスパッタリングされることが防止されるため、寿命の特性が向上し、同じ画像を長期間具現しても、永久残像が発生する現象が画期的に減りうる。前記蛍光体層１２３が配置されたサブピクセル１１４内には放電ガスが満たされるが、前記放電ガスとしては、紫外線を発生させるＸｅなどと、バッファの機能を行うＮｅなどとが混合されたガスが採用されうる。
【００２９】
一方、前記第２隔壁１２２と共にサブピクセル１１４を区画する第１隔壁１１２内には、前記サブピクセル１１４で放電を発生させるものであって、図３に示すように、上側放電電極１３１と下側放電電極１３２とが上下にそれぞれ配置されて相互交差するように形成されている。ここで、上側放電電極１３１は、第１基板１１１側に近い上側に配置されており、下側放電電極１３２は、前記上側放電電極１３１より下側に配置される。前記上側放電電極１３１及び下側放電電極１３２は、アルミニウム、銅、銀のような導電性金属電極よりそれぞれ形成されうる。前記のような金属電極は、ＩＴＯより形成された電極より相対的に抵抗が低いため、ＩＴＯ電極を利用する従来のパネルに比べて放電応答速度が速くなりうる。
【００３０】
前記上側放電電極１３１と下側放電電極１３２とを埋め込む第１隔壁１１２は、誘電体より形成されている。これにより、上側放電電極１３１と下側放電電極１３２との間に直接通電されることが防止され、放電時に荷電粒子が上側放電電極１３１及び下側放電電極１３２に直接衝突して、これらが損傷されることが防止され、荷電粒子を誘導して壁電荷を蓄積することが容易になりうる。前記第１隔壁１１２を形成する誘電体としては、ＰｂＯ、Ｂ２Ｏ３、ＳｉＯ２などが利用されうる。
【００３１】
そして、前記第１隔壁１１２の側面には、所定厚さのＭｇＯ膜１１３がさらに形成されている。このように、ＭｇＯ膜１１３が形成されることにより、放電時に発生した荷電粒子の第１隔壁１１２に直接的への衝突が、ＭｇＯ膜１１３により遮断されるため、荷電粒子のイオンスパッタリングによる第１隔壁１１２の損傷が防止されうる。これと共に、前記のようにＭｇＯ膜１１３に荷電粒子が直接的に衝突することにより、前記ＭｇＯ膜１１３から放電に寄与する２次電子が放出されうるため、低電圧駆動が可能となり、発光効率が上昇しうる。
【００３２】
前記のように、第１隔壁１１２内に配置された上側放電電極１３１と下側放電電極１３２とをより詳細に説明すれば、次の通りである。
【００３３】
前記第１隔壁１１２内の上側に配置された上側放電電極１３１は、所定間隔離れており、一方向に沿ってそれぞれ延びるように形成されている。図示するように、一つの上側放電電極１３１は、前記上側放電電極１３１が延びた方向に沿って配列されたサブピクセル１１４において、サブピクセル１１４ごとに４側面を取り囲みうる構造からなっている。すなわち、前記上側放電電極１３１は、一列に配列されてサブピクセル１１４ごとに取り囲んで放電に寄与する上側放電部１３１ａと、前記上側放電部１３１ａの間を連結する上側連結部１３１ｂと、を備えている。
【００３４】
ここで、前記上側放電部１３１ａは、所定幅の四角帯状に形成されて第１隔壁１１２内にそれぞれ配置され、これにより、サブピクセル１１４の４側面を取り囲みうる。そして、前記のような構造でそれぞれ形成された上側放電電極１３１は、上側放電電極１３１が延びる方向と直交する方向に沿って所定間隔離れて配置される。前記上側放電電極１３１の間の離れた部位、すなわち、上側放電部１３１ａの間の離れた部位は、上側放電電極１３１が延びた方向に沿って形成された第１隔壁１１２内に共に配置されている。
【００３５】
前記のような上側放電電極１３１の下側に配置された下側放電電極１３２は、所定間隔離れており、前記上側放電電極１３１がそれぞれ延びる方向と直交する方向に沿ってそれぞれ延びるように形成されている。図示するように、前記下側放電電極１３２は、上側放電電極１３１でのように、一つの下側放電電極１３２は、前記下側放電電極１３２が延びた方向に沿って配列されたサブピクセル１１４において、サブピクセル１１４ごとに４側面を取り囲みうる構造からなっている。これにより、前記下側放電電極１３２は、一列に配列されてサブピクセル１１４ごとに取り囲んで放電に寄与する下側放電部１３２ａと、前記下側放電部１３２ａの間を連結する下側連結部１３２ｂと、を備える。
【００３６】
ここで、前記下側放電部１３２ａは、所定幅で四角帯状に形成されて第１隔壁１１２内にそれぞれ配置され、これにより、サブピクセル１１４の４側面を取り囲むようされる。前記下側放電電極１３２は、下側放電電極１３２が延びた方向と直交する方向に沿って所定間隔離れて配置されており、下側放電部１３２ａの間の離れた部位は、下側放電電極１３２が延びた方向に沿って形成された第１隔壁１１２内に共に配置されている。一方、前記上側放電電極と下側放電電極との構造は、多様な形態に形成されうるため、前記に必ずしも限定されるものではない。
【００３７】
前記のように構成された上側放電電極１３１と下側放電電極１３２とのうち、何れか一つは、アドレス及び維持電極として作用し、他の一つは、スキャン及び維持電極として作用する。例えば、上側放電電極１３１がアドレス及び維持電極として作用し、下側放電電極１３２がスキャン及び維持電極として作用するとすれば、前記上側放電電極１３１にアドレス電圧が印加され、下側放電電極１３２にスキャン電圧が印加されれば、電圧がそれぞれ印加された上側放電電極１３１と下側放電電極１３２とが共に配置されたサブピクセル１１４でアドレス放電が発生し、前記アドレス放電以後に、上側放電電極１３１と下側放電電極１３２との間に維持電圧が交互に印加されれば、荷電粒子が上下方向に移動して維持放電が発生する。
【００３８】
このような維持放電は、図４に示すように、サブピクセル１１４の上側に集中して発生し、前記サブピクセル１１４を限定するあらゆる側面で垂直方向に発生する。そして、前記のように、サブピクセル１１４のあらゆる側面から発生する維持放電は、順次にサブピクセル１１４の中央側に拡散される。したがって、放電面積が従来のパネルに比べて相対的に広くなり、維持放電が発生する領域の体積が増加して、従来によく使用されていなかったサブピクセル内の空間電荷も発光に寄与する。これにより、放電時プラズマが形成される量が増加しうるため、低電圧駆動が可能になる。前記のようなメカニズムで発生した維持放電によって放電ガスから紫外線が放出され、前記紫外線によりサブピクセル１１４内に配置された蛍光体層１２３が励起されることにより、励起された蛍光体層１２３から可視光が発散されうる。
【００３９】
前記のように、可視光を発散する蛍光体層１２３は、カラー具現のために赤色、緑色、青色の可視光をそれぞれ発散する赤色、緑色、青色の蛍光体のうち選択された何れか一つの蛍光体として形成されて、赤色、緑色、青色の蛍光体層を形成する。前記赤色、緑色、青色の蛍光体層のうち、どの蛍光体層がサブピクセルに配置されるかによって、赤色サブピクセル、緑色サブピクセル及び青色のサブピクセルにそれぞれ分類される。前記赤色、緑色、青色のサブピクセルは、単位ピクセルに含まれることによって、３原色の組み合わせによる多様な色を表現する。
【００４０】
一方、本発明の一特徴によれば、前記のように３原色の組み合わせによる多様な色を表現する単位ピクセル１４０は、図５に示すように、赤色、緑色、青色のサブピクセル１１４Ｒ、１１４Ｇ、１１４Ｂからなる３個のサブピクセルに加えて、赤色、緑色、青色のうち選択された何れか一つの色を発光するサブピクセルがさらに備えられていて、４個のサブピクセルから構成されている。
【００４１】
前記４個のサブピクセルのうち追加されたサブピクセルは、赤色、緑色、青色のうち、最大発光輝度の最も低い色を発光するサブピクセルであることが好ましい。このように、単位ピクセル１４０で最も低い最大発光輝度を有する色を発光するサブピクセルがさらに一つ備えられることにより、最も低い最大発光輝度を有する色において最大発光輝度が全体的に上昇し得る。これにより、単位ピクセル１４０から赤色、緑色、青色光の発光輝度が最大である時、これらが混合されて表現される白色の色温度が上昇し、それと共に、単位ピクセル１４０から最大に発光されうる輝度も上昇し得る。また、最も低い最大発光輝度を有する色の最大発光輝度が全体的に上昇するにつれ、多様な階調に細分しやすくなるため、階調表現力が向上しうる。
【００４２】
通常的に、同じ条件であれば緑色光の最大発光輝度が最も高く、青色光の最大発光輝度が最も低いと知られている。そこで、図５に示すように、単位ピクセル１４０には２個の青色のサブピクセル１１４Ｂ、１１４Ｂ’が備えられ得る。これにより、青色光の最大発光輝度が上昇しうる。したがって、前記単位ピクセル１４０から赤色、緑色、青色光の発光輝度が最大である時、これらが混合されて表現される白色の色温度が上昇し、最大に発光されうる輝度が極大化されうる。
【００４３】
前記単位ピクセル１４０を構成する４個のサブピクセル１１４Ｒ、１１４Ｇ、１１４Ｂ、１１４Ｂ’は、図示するように、２列で２個ずつ配列されているが、前記サブピクセル１１４Ｒ、１１４Ｇ、１１４Ｂ、１１４Ｂ’が配列されたパターンは、図示されたものに限定されず、多様なパターンで配列できる。
【００４４】
本発明では、上側放電電極１３１及び下側放電電極１３２が、上側基板ではなく、隔壁内に配置されており、放電効率を大きく向上させ、かつ消費電力を大幅低減させうるため、同じ単位ピクセル内に形成された４個のサブピクセルのピッチが小さくなり、消費電力が大きくなるという問題点を大幅改善できる。
【００４５】
前記のように、４個のサブピクセル１１４Ｒ、１１４Ｇ、１１４Ｂ、１１４Ｂ’から構成された単位ピクセル１４０において、これに備えられた２個の青色のサブピクセル１１４Ｂ、１１４Ｂ’にそれぞれ配置された青色蛍光体層は、輝度及び寿命の特性が相異なるように設定されている。
【００４６】
これについて詳述すれば、２個の青色のサブピクセル１１４Ｂ、１１４Ｂ’のうち、何れか一つに配置された蛍光体層は、残りの一つに配置された蛍光体層より相対的に高い輝度特性を有するように設定されている。そして、相対的に低い輝度特性を有する蛍光体層は、高い輝度特性を有する蛍光体層より相対的に長い寿命の特性を有するように設定されている。これにより、２個の青色のサブピクセル１１４Ｂ、１１４Ｂ’のうち、何れか一つには、輝度特性が相対的に優れた蛍光体層が配置され、残りの一つには、輝度特性は多少劣るが、寿命の特性が相対的に優れた蛍光体層が配置されうる。
【００４７】
このように単位ピクセル１４０を構成する２個の青色のサブピクセル１１４Ｂ、１１４Ｂ’のうち、何れか一つには、高い輝度特性を有する蛍光体層が配置され、残りの一つには、長い寿命の特性を有する蛍光体層が配置されることにより、青色光の最大発光輝度が上昇できると共に、輝度維持率が上昇できる。これにより、単位ピクセル１４０の色温度特性も共に向上しうる。
【００４８】
前記したような高い輝度特性を有する青色蛍光体層は、輝度特性が優れていると知られたＢＡＭ（ＢａＭｇＡｌ１０Ｏ１７：Ｅｕ２＋）のような蛍光体より形成され、長い寿命の特性を有する青色蛍光体層は、寿命の特性に優れていると知られたＣＭＳ（ＣａＭｇＳｉ２Ｏ６：Ｅｕ２＋）のような蛍光体より形成されうる。一方、前記した青色のサブピクセル１１４Ｂ、１１４Ｂ’と共に単位ピクセル１４０を構成する赤色サブピクセル１１４Ｒに配置された蛍光体層は、Ｙ（Ｖ，Ｇｄ）ＢＯ３：Ｅｕ３＋のような蛍光体より形成され、緑色サブピクセル１１４Ｇに配置された蛍光体層は、Ｚｎ２ＳｉＯ４：Ｍｎ２＋のような蛍光体より形成されうる。
【００４９】
本発明は、添付された図面に示された一実施例を参考に説明されたが、これは例示的なものに過ぎず、当業者ならば、これから多様な変形及び均等な他の実施例が可能であるということが理解できる。したがって、本発明の真の保護範囲は、特許請求の範囲のみによって決まらねばならない。
【産業上の利用可能性】
【００５０】
本発明は、ＰＤＰに関連した技術分野に好適に適用されうる。
【図面の簡単な説明】
【００５１】
【図１】図１は従来の一例に係るサブピクセルを示す断面図である。
【図２】図１のサブピクセルからそれぞれ構成された単位ピクセルの一例を示す部分平面図である。
【図３】本発明の一実施例に係るＰＤＰを示す部分分離斜視図である。
【図４】図３のＩＶ−ＩＶ線に沿って切り取って示す断面図である。
【図５】図３において、単位ピクセルを構成するサブピクセルが配列された状態の一例を示す部分平面図である。
【符号の説明】
【００５２】
１１２…第１隔壁、
１１３…ＭｇＯ膜、
１１４Ｒ…赤色サブピクセル、
１１４Ｇ…緑色サブピクセル、
１１４Ｂ、１１４Ｂ’…青色サブピクセル、
１３１…上側放電電極、
１３２…下側放電電極、
１４０…単位ピクセル。
【図１】
2006140158.tif 000003
【図２】
2006140158.tif 000004
【図３】
2006140158.tif 000005
【図４】
2006140158.tif 000006
【図５】
2006140158.tif 000007